(57)【要約】【課題】個人個人にあったモードを選択することにより操作性に優れた画像形成装置を提供する。【解決手段】オペレータの身元を設定する機能、あらかじめオペレータ毎に動作モードを設定する機能を有する操作部ユニット２０３と、オペレータの身元を識別する機能、オペレータの身元が識別されるとあらかじめ設定されていた各オペレータに対応したモードに自動的に移行させる機能を有するメイン制御手段２０６とを備えた画像形成装置。【選択図】      図２
2004148682.tif 000002
【特許請求の範囲】
【請求項１】
オペレータの身元を設定する機能、あらかじめオペレータ毎に動作モードを設定する機能を有する操作部ユニットと、オペレータの身元を識別する機能、オペレータの身元が識別されるとあらかじめ設定されていた各オペレータに対応したモードに自動的に移行させる機能を有するメイン制御手段と、を備えたことを特徴とする画像形成装置。
【請求項２】
オペレータ毎に設定できる動作モードには、フォントと、言語と、操作部ユニットのキー入力の確定表示および確定音の許可／禁止、ガイダンスの許可／禁止、ガイダンス言語が含まれていることを特徴とする請求項１記載の画像形成装置。
【請求項３】
オペレータの身元を設定する手段をＲＦＩＤとすることを特徴とする請求項１または２記載の画像形成装置。
【発明の詳細な説明】
【０００１】
【発明の属する技術分野】
本発明は、任意の文字を表示する機能および音声出力機能を有する画像形成装置に関するものである。
【０００２】
【従来の技術】
従来、特開２０００−２１４７３２公報や特開平８−９７９５４号公報や特開平１０−３０７５１２号公報等に記載されているように、機器の自己診断結果や異常メッセージ、設定ウィンドウなどの説明を音声ガイドにより出力する方法は公知であった。また、キー入力等の機能をキー入力の確定と同時に音声にて知らせる機器は電卓や電子玩具等にて公知である。
【特許文献１】特開２０００−２１４７３２公報
【特許文献２】特開平８−９７９５４号公報
【特許文献３】特開平１０−３０７５１２号公報
【０００３】
【発明が解決しようとする課題】
上述したように、機器自体の状態や操作入力に関する音声ガイダンス技術は従来より種種提案されている。しかし、オペレータによっては音声ガイダンスをうるさく感じる人もいる。またオペレータは健常者とは限らず、ハンデキャップを持った人もいる。またオペレータは日本人とは限らない。このように個々に相違しているオペレータ全てに使い勝手のよい画像形成装置が望まれている。
本発明は、個人個人にあったモードを選択することにより操作性に優れた画像形成装置を提供することを目的とする。
【０００４】
【課題を解決するための手段】
上記目的を達成するために、請求項１記載の発明は、オペレータの身元を設定する機能、あらかじめオペレータ毎に動作モードを設定する機能を有する操作部ユニットと、オペレータの身元を識別する機能、オペレータの身元が識別されるとあらかじめ設定されていた各オペレータに対応したモードに自動的に移行させる機能を有するメイン制御手段とを備えた画像形成装置を最も主要な特徴とする。
請求項２記載の発明は、オペレータ毎に設定できる動作モードには、フォントと、言語と、操作部ユニットのキー入力の確定表示および確定音の許可／禁止、ガイダンスの許可／禁止、ガイダンス言語が含まれている請求項１記載の画像形成装置を主要な特徴とする。
請求項３記載の発明は、オペレータの身元を設定する手段をＲＦＩＤとする請求項１または２記載の画像形成装置を主要な特徴とする。
【０００５】
【発明の実施の形態】
以下、図面により本発明の実施の形態を詳細に説明する。
図１は本発明の実施の形態に係るデジタル複写機の全体外観図である。まず、図１を用いてデジタル複写機の概略構成について説明する。
デジタル複写機は同図に示すように、複写機本体１００と、自動原稿送り装置（ＡＤＦ）１０１と、ステープラおよび作像された用紙を大量に排紙可能なシフトトレイ付きのフィニッシャ１０２と、両面反転ユニット１０３と、拡張給紙トレイ１０４と、大容量給紙トレイ１０５と、１ビン排紙トレイ１０６の７つのユニットから構成されている。前記複写機本体１００は、スキャナ部、書き込み部、感光体部、現像部ならびに給紙部などを備えている。
図２は本発明の実施の形態に係るデジタル複写機の制御ブロック図である。図２において複写機メカ制御部としては、１つのＭＰＵと１つのＣＰＵ構成となっており、ＭＰＵ２００は作像シーケンス制御、定着制御、システム関係の制御、ＣＰＵ２０１はスキャナ関係の制御をそれぞれ行っている。ＭＰＵ２００とＣＰＵ２０１とは、画像データおよびシリアルインターフエースによって接続されている。
また、図２において、２０３は操作部ユニット、２０４はＩ／Ｏ制御板、２０５はスキャナ制御板、２０６はメイン制御板、２０７はＬＤ制御板、２０８は給紙制御板、２０９はＣＣＤを搭載する読み取り制御板、２１０はマザーボード、２１１、２１２は、複合機能を実現するためのアプリケーション拡張ユニットで、２１１はＦＡＸ機能を搭載したＦＣＵ、２１２はプリンタ機能およびコピー、ＦＡＸ、プリンタの複合動作モードを制御するためのプリンタコントローラボードである。また、周辺機器として、２１５は両面ユニット、２１６は給紙バンク、２１７はＬＣＴ、２１８はフィニッシャである。
【０００６】
図３は図２に示す操作部ユニットの機能ブロック図である。操作部コントローラ３００はＣＰＵ３０１を搭載している。ＣＰＵ３０１には各種状態表示およびキーの入力状態を表示するためのＬＥＤマトリックス３０２と、ハードキー入力のためのキーマトリックス３０３と、キー入力音や音声ガイダンスを出力するためのスピーカ３０４と、非接触タグカードを認識するためのＲＦＩＤ−Ｉ／Ｆ３０５が接続されている。
また、本体のシステムコントローラ３０６とのデータのやり取りを行なうための通信ポートを有している。ＣＰＵバスには、ＬＣＤ３１１の表示のコントロールとタッチパネル３１２の制御を行うためのＬＣＤ／タッチパネルコントローラ３０７と、ＣＰＵ３０１用のファームウェアを格納するためのＲＯＭ３０８およびプログラム実行用ワークメモリのＲＡＭ３０９が接続されている。
また、ＬＣＤ／タッチパネルコントローラ３０７にはＬＣＤ３１１への表示データを格納するためのＶＲＡＭ３１０がローカルバスにて接続されている。タッチパネル３１２からの座標データは、ＣＰＵ３０１のアナログ入力端子に接続されている。
図４は図２に示す操作部ユニットの外表面レイアウト図である。コピー枚数等の数値を入力するための１０キー４０１、値数のクリアやコピーの中断を行うためのクリア／ストップキー４０２、設定されたモードでコピーを開始するためのコピースタートキー４０３、コピーの仕上がり具合を１部だけ試しに出力するための試しキー４０４、ジョブの途中に割り込んでコピーが可能な割り込みキー４０５、定着ヒータの温度を下げて休止モードよりも多少電力は大きいが即時、復帰が可能な低電力モードへの移行およびモードをクリアするためのリセット／予熱キー４０６、あらかじめ使用頻度の高いコピーモードを記憶して読み出すことができるプログラムキー４０７、コピーカウンタの確認や各種モードの初期設定を行うための初期設定／カウンタキー４０８、ユーザが自由に機能を設定可能な選択キー４０９〜４１１、ソフトＳＷおよび各種情報の表示を行うＬＣＤ／タッチパネル４１２、音声合成ガイダンスの出力を許可／禁止するための音声ガイダンス有効キー４１３、ＬＣＤ表示上のソフトＳＷのタグキーと併用できタグ内の選択を順番に指定可能なタグ選択キー４１４〜４１７で操作部ユニット２０３の外表面は構成されている。
なお本実施形態では、オペレータ毎の動作モードを設定するときにも初期設定／カウンタキー４０８を使用する。また、操作部ユニット２０３にはキー入力を知らせるためのキー入力確定表示用ＬＥＤ４２０が備わっている。
【０００７】
図５はＬＣＤ／タッチパネルの表示例を示す図である。この例では、タグを開く機能にあたるキーとしては表紙／合紙、編集、両面／集約／分割、変倍キーがある。図４のタグ選択キー４１４が表紙／合紙キー、タグ選択キー４１５が編集キー、タグ選択キー４１６が両面／集約／分割キー、タグ選択キー４１７が変倍キーに対応する。
図６は表示用フォントのＲＯＭ上での配置の概念図、図７は音声ガイダンス用データのＲＯＭ上での配置の概念図である。本実施形態では、フォントＡは通常（従来機並み）の大きさとしてＲＯＭ３０８上に格納され、フォントＢは弱視等のオペレータのために大きいサイズのフォントとして格納されている。また、図７では、音声ガイダンスのデータが日本語、英語、中国語でそれぞれＲＯＭ３０８上に格納されている。
【０００８】
次に図８、図９に本発明を実施するためのフローチャートを示す。
図８はＩＤタグを検出してそのＩＤに対応したモード設定を行なうルーチンのフローチャートである。このモードに入るには前述の初期設定キー４０８を押下する。まずフォントの大きさの選択を行なう（Ｓ１）。大きいサイズのフォントが選択されればフォントＢ設定が不揮発メモリ（ＲＯＭ３０８）にセットされ（Ｓ２）、通常サイズのフォントが選択されればフォントＡ設定が不揮発メモリにセットされる（Ｓ３）。
次にキー入力確定用表示を行なうかどうかの選択を行ない（Ｓ４）、同様にするかしないかを不揮発メモリにセットする（Ｓ５、Ｓ６）。次にキー入力時の確定音（ビープ音など）の許可をするかしないかの選択を行ない（Ｓ７）、同様に有無の状態を不揮発メモリにセットする（Ｓ８、Ｓ９）。次にキー入力に対する音声ガイドの有無の選択が行なわれ（Ｓ１０）、同様に有無の設定を不揮発メモリにセットする（Ｓ１１、Ｓ１２）。最後に音声ガイダンス用の言語の選択を行ない、日本語または英語または中国語の設定を不揮発メモリにセットする（Ｓ１３〜Ｓ１７）。これらの設定値はＩＤ毎に不揮発メモリに記憶される。
図９はＩＤコード読み込み時の手順を示すフローチャートである。まず、非接触ＩＤタグの読取装置にタグを近づけるとこのルーチンが起動される。次にＩＤコードが読み取られ（Ｓ２１）、ＩＤ番号からあらかじめ設定されているデータを呼び出す（Ｓ２２）。設定がなされていなければ初期設定時のモードが選択される（Ｓ２３、Ｓ２５）。設定がある場合にはその設定値によって各モードが選択され（Ｓ２４、Ｓ２５）、その後コピー動作などはそのモードにしたがって実行される。このモードは電源かオフされるか次のＩＤを認識されるまで継続される。
以上のような構成により、非健常者にとっても、より操作性が向上した画像形成装置の提供が可能となる。
【０００９】
【発明の効果】
以上説明したように、本発明によれば、その個人個人にあったモードを選択することにより操作性に優れた画像形成装置を提供することができる。また、オペレータの身元（ＩＤコード）入力の煩わしさが解消される。
【図面の簡単な説明】
【図１】本発明の実施の形態に係るデジタル複写機の全体外観図である。
【図２】本発明の実施の形態に係るデジタル複写機の制御ブロック図である。
【図３】図２に示す操作部ユニットの機能ブロック図である。
【図４】図２に示す操作部ユニットの外表面レイアウト図である。
【図５】ＬＣＤ／タッチパネルの表示例を示す図である。
【図６】表示用フォントのＲＯＭ上での配置の概念図である。
【図７】音声ガイダンス用データのＲＯＭ上での配置の概念図である。
【図８】ＩＤタグを検出してそのＩＤに対応したモード設定を行なうルーチンのフローチャートである。
【図９】ＩＤコード読み込み時の手順を示すフローチャートである。
【符号の説明】
２０３  操作部ユニット
２０６  メイン制御板（メイン制御手段）
【図１】
2004148682.tif 000003
【図２】
2004148682.tif 000004
【図３】
2004148682.tif 000005
【図４】
2004148682.tif 000006
【図５】
2004148682.tif 000007
【図６】
2004148682.tif 000008
【図７】
2004148682.tif 000009
【図８】
2004148682.tif 000010
【図９】
2004148682.tif 000011